(57)【要約】【課題】            クリオスタット室内の（一定の低い）温度の維持をより強化することができ、更にクリオスタット室の照明用の光源の洗浄（清掃）もより容易にすることができるクリオスタット。【解決手段】        凍結された試料を切断するためのミクロトームが配されるクリオスタット室と、該クリオスタット室を照明するための照明装置とを有するクリオスタットにおいて、前記照明装置（４）は、少なくとも１つのＬＥＤ（５）を有することを特徴とする。【選択図】          図１
2004317515.tif 000002
【特許請求の範囲】
【請求項１】
凍結された試料を切断するためのミクロトームが配されるクリオスタット室と、該クリオスタット室を照明するための照明装置とを有するクリオスタットにおいて、
前記照明装置（４）は、少なくとも１つのＬＥＤ（５）を有すること
を特徴とするクリオスタット。
【請求項２】
１つの照明モジュール（６）に組み込まれた複数のＬＥＤ（５）を有すると共に、該照明モジュール（６）は、電気エネルギ供給のための差込接続部（８）を有すること
を特徴とする請求項１に記載のクリオスタット。
【請求項３】
複数の照明モジュール（６）が、共通の電気エネルギ供給装置（９）と電気的に結合すること、
各別又は複数の照明モジュール（６）を切換するための切換装置（１０）を有すること、及び
前記切換装置（１０）は、付加的に、各別又は複数の照明モジュール（６）を調光可能に構成されること
を特徴とする請求項２に記載のクリオスタット。
【請求項４】
前記切換装置（１０）と電気的に結合するスイッチ（１１）を有すること、及び
前記スイッチ（１１）は、前記クリオスタット室（２）を開閉する際、各別又は複数の照明モジュール（６）を自動的に切換え又は調光するよう構成されること
を特徴とする請求項３に記載のクリオスタット。
【請求項５】
少なくとも１つのＬＥＤ（５）に、対噴射液保護部材（１２）が配されること
を特徴とする請求項１に記載のクリオスタット。
【発明の詳細な説明】
【技術分野】
【０００１】
本発明は、凍結された試料を切断するためのミクロトームが配されるクリオスタット室と、該クリオスタット室を隈なく照明するための照明装置とを有するクリオスタットに関する。
【背景技術】
【０００２】
この種のクリオスタットは、後に顕微鏡で観察するために凍結した試料をミクロトームで切断するために使用される。切断されるべき試料は、予め設定される特定の温度で冷却される。この温度は、通常、−１０°〜−５０°の範囲にある。そのような温度を一定に保つために、ミクロトームは、大掛かりな筐体で密閉されるクリオスタット室内に装填され、相応に冷却される。
【発明の開示】
【発明が解決しようとする課題】
【０００３】
確実に作業を行うことができるように、クリオスタット室は、ランプで照明される。しかしながら、このような光源は、熱を生成し、そのため（凍結）試料を切断するために重要な一定に保たれた（低い）温度に悪影響を及ぼすという欠点がある。
【０００４】
更に、このような相当に大きな寸法の光源を洗浄することは非常に困難であることも分かった。
【０００５】
それゆえ、本発明の課題は、クリオスタット室内の（一定の低い）温度の維持がより強化されるようクリオスタット室の照明を改良することである。
【課題を解決するための手段】
【０００６】
上記の課題を解決するために、本発明の一視点により、凍結された試料を切断するためのミクロトームが配されるクリオスタット室と、該クリオスタット室を（隈なく）照明するための照明装置とを有するクリオスタットが提供される。このクリオスタットにおいて、前記照明装置は、少なくとも１つのＬＥＤを有することを特徴とする（形態１・基本構成）。
【発明の効果】
【０００７】
本発明の独立請求項１により、所定の課題として掲げた効果が、上述の通り達成される。即ち、本発明のクリオスタットは、クリオスタット室内の（一定の低い）温度の維持をより強化することができ、更にクリオスタット室の照明用の光源の洗浄（清掃）もより容易にすることができる。
【発明を実施するための最良の形態】
【０００８】
以下に、本発明の好ましい実施の形態を示すが、これらは従属請求項の対象でもある。
（２）  上記のクリオスタットにおいて、照明モジュールに組み込まれた複数のＬＥＤを有すると共に、該照明モジュールは、電気エネルギ供給のための差込接続部を有することが好ましい（形態２）。
（３）  上記のクリオスタットにおいて、複数の照明モジュールが、共通の電気エネルギ供給装置と電気的に結合すること、各別又は複数の照明モジュールを（オン・オフ）切換するための切換装置を有すること、及び前記切換装置は、付加的に、各別又は複数の照明モジュールを調光・減光（消光）可能に構成されることが好ましい（形態３）。
（４）  上記のクリオスタットにおいて、前記切換装置と電気的に結合するスイッチを有すること、及び前記スイッチは、前記クリオスタット室を開閉する際、各別又は複数の照明モジュールを自動的に切換え又は調光するよう構成されることが好ましい（形態４）。
（５）  上記のクリオスタットにおいて、少なくとも１つのＬＥＤに、対噴射（洗浄）液保護部材が配されることが好ましい（形態５）。
【０００９】
本発明で重要なことは、照明装置が、光源として、少なくとも１つのＬＥＤ、好ましくは白色ＬＥＤを有することである。ＬＥＤを使用することによって、構造がコンパクトで、熱の放射も極めて少なく、洗浄（清掃）もし易く、無菌性も良好に保つことができる。更に、ＬＥＤ（複数）は、その空間的（幾何学的）形状によって、噴射液に対して極めて良好な保護が可能である。
【００１０】
本発明の一実施形態では、複数のＬＥＤが１つの照明モジュールに組み込まれる。このため、コンパクトな構造で大きな光密度での照明が可能となる。更に、ＬＥＤ（複数）の電気的接続部も極めて簡単に湿気ないし洗浄液から保護することもできる。
【００１１】
本発明の一展開形態では、照明モジュールは、電気エネルギ供給のための差込接続部を有するケースを有する。このため、照明モジュールを、差込接続部（突出部）によって、交換可能にクリオスタット室に配することができる。そのため、必要に応じて、１つ又は複数の照明モジュールを、クリオスタット室に予め設けられている（複数の）差込接続受口に交換可能に配することもできる。或いは、上記ケースに接続受口を設け、クリオスタット室に、対応する一又は複数の差込接続部（突出部）を設けることも可能である。
【００１２】
本発明の更なる一実施形態では、複数の照明モジュールは、１つの共通の電気エネルギ供給装置と電気的に結合（接続）される。この電気エネルギ供給装置は、好ましくは、クリオスタット室の外部に配設され、そのため費用を最少に抑えることができる上、更に熱の発生（クリオスタット室ないし凍結試料への熱の移動）を減ずることもできる。
【００１３】
本発明の一展開形態では、１つ毎又は複数の照明モジュールをオン・オフ切換するための切換装置が配される。使用態様に応じて、クリオスタット室内部の複数の領域のうち任意に選択した１つ以上の組合せを各別に又は連携して照明することも可能である。
【００１４】
本発明の有利な一展開形態では、切換装置は、付加的に、１つ毎及び／又は複数の照明モジュールを調光ないし減光する機能を有する。このため、同様に、クリオスタット室の個々の領域（の任意に選択した１つ以上の組合せ）の（隈なき）照明が可能となる。
【００１５】
本発明の一展開形態では、クリオスタットに、切換装置と電気的に結合（接続）するスイッチを設ける。このスイッチは、クリオスタット室が開放及び／又は閉鎖される際、１つ毎及び／又は複数の照明ユニットを自動的に切換え及び／又は調光ないし減光するよう構成される。この機能によって、利用者が蓋ないし閉止円板を開いたとき、クリオスタット室内の照明光が自動的に制御される。例えば、（蓋等を）開いたときには、常に適正な照明に切換えられ、（蓋等を）閉じたときには、各照明モジュールがオフ切換ないし減光されるように制御することができる。クリオスタット室（の蓋）を閉じたとき、ミクロトームの試料ホルダ及び／又は切断刀のみが照明されるように制御すると都合がよい。
【００１６】
本発明の更なる一実施形態では、少なくとも１つのＬＥＤは、対噴射液保護部材に配される。有利には、照明モジュールには、ＬＥＤ電気接続部をカプセル化（密閉保護）するためのパッキング（シール部材）を配することができる。
【００１７】
以下に、本発明の実施例を図面を参照して詳細に説明する。なお、以下の実施例は発明の理解を容易化するためのものであって、本発明の技術的思想を逸脱しない範囲において当業者により実施可能な付加・置換等を排除することは意図しない。また、特許請求の範囲に付した図面参照符号も発明の理解の容易化のためのものであって、本発明を図示の態様に限定することも意図しない。なお、これらの点に関しては、補正・訂正後においても同様である。
【実施例】
【００１８】
図１に、複数の照明モジュール６を有する照明装置４が配されたクリオスタット室２を有するクリオスタット１の外観（斜視図）を示した。クリオスタット室２は、可動の蓋１７を介して開閉可能にされている。複数の照明モジュール６は、それぞれ１つの導線１４を介して切換装置１０と電気的に結合し、切換装置１０は、導線１５を介して電気エネルギ供給装置９と接続する。クリオスタット１には、クリオスタット室２の蓋１７の開閉に対応して制御を行うスイッチ１１が配される。スイッチ１１も同様に図示を省略した導線を介して切換装置１０と接続されている。
【００１９】
切換装置１０を介して、１つ又はすべての（又は任意の組合せの）照明モジュール６は、（オン・オフ）切換え及び／又は調光ないし減光可能に構成される。例えば、１つ及び／又は複数の（任意の組合せの）照明モジュール６は、クリオスタット室２の蓋１７を開閉する際、スイッチ１１を介して、自動的に（オン・オフ）切換え及び／又は調光ないし減光可能に構成される。
【００２０】
図２に、１つのケース７と、ボード１３に配設された複数のＬＥＤ５とを有する照明モジュール６のＬＥＤ５の配列方向に関する縦断面を示した。ボード１３又はＬＥＤ５の電気接続部は、ケース７に配される対噴射洗浄液保護部材１２によって洗浄液等の外的影響から保護（密閉）される。
【００２１】
図３に、ケース７の一方の側面に差込接続部（突出部）８を有する照明モジュール６の平面図を示した。照明モジュール６は、差込接続部８を介して、（図示を省略した対応する差込口（ソケット）に差し込むことにより）クリオスタット室２に固定されると共に、電気エネルギを供給されることが可能となる。尤も、これとは反対に、照明モジュール６のケース７に差込口を設け、クリオスタット室２に（一又は複数の）差込接続突出部８を設けることによっても同様の機能を達成することができる。
【００２２】
図４に、中央部にミクロトーム３が配され、当該ミクロトーム３の周りに複数の照明モジュール６が配されたクリオスタット室２の平面図を示した。このような配置（及びすべての照明モジュール６を完全に作動すること）によって、クリオスタット１内部のすべての領域が一様に（隈なく）照明可能とされる。尤も、これら複数の照明モジュール６の１つ以上の組合せを任意に選択し、選択された一又は複数の照明モジュール６に対応する領域のみを照明することも可能である。なお、選択された照明モジュール６は、単にオン・オフのみ制御されるだけではなく、その明るさないし出力の大きさについても制御可能である。このようにして、クリオスタット１内の任意の領域に対し任意の照明状態（明るさ）を形成することができる。クリオスタット室２には、試料を急速に冷却しかつ複数の試料ホルダを載置するための冷却装置１６が、ミクロトーム３に並置されている。冷却装置１６を（隈なく）照明するために、専用の照明モジュール６’が配される。尤も、相応に構成・制御される他の照明モジュール６によって冷却装置１６を照明することも可能であり、また、冷却装置用の照明モジュール６’は、相応に構成・制御されることにより、クリオスタット１内の他の領域をも照明することができる。
【図面の簡単な説明】
【００２３】
【図１】本発明のクリオスタットの一例の外観。
【図２】本発明の照明モジュールの一例の縦断面図。
【図３】本発明の照明モジュールの一例の平面図。
【図４】本発明のクリオスタット室を有するクリオスタットの一例の平面図。
【符号の説明】
【００２４】
１          クリオスタット
２          クリオスタット室
３          ミクロトーム
４          照明装置
５          ＬＥＤ
６、６’    照明モジュール
７          ケース
８          差込接続部（突出部）
９          電気エネルギ供給装置
１０        切換装置
１１        スイッチ
１２        対噴射洗浄液保護部材
１３        ボード
１４        導線
１５        電気エネルギ供給導線
１６        冷却装置
１７        蓋
【図１】
2004317515.tif 000003
【図２】
2004317515.tif 000004
【図３】
2004317515.tif 000005
【図４】
2004317515.tif 000006